(57)【要約】  【課題】  複数の光源を交互に点灯させる投写型表示装置において、複数の光源の累積点灯時間を平均化させることなく、光源の寿命を延ばすことができる投写型表示装置を提供することにある。【解決手段】  第１光源(1A)と、第２光源(2A)と、該第１または第２光源からの光を変調する表示パネル(6A, 6B, 6C)と、該表示パネルで変調された光をスクリーン(9)投写する投写手段(8)と、前記第１または第２光源の一つを選択的に点灯させるように制御する制御手段(10)とを備え、前記制御手段(10)は、第１光源(1A)の点灯時間と第２光源(1b)の点灯時間とを互いに異ならせるようにこれら光源の切換制御を行う。このとき、第１光源(1A)または第２光源(1b)の点灯時間を、４時間から、該光源の寿命（光源を連続点灯した場合の光源寿命）の2/100以下とする。【選択図】  図２
2006039329.tif 000002
【特許請求の範囲】
【請求項１】
投写型表示装置において、
第１光源と、第２光源と、該第１または第２光源からの光を変調する表示パネルと、該表示パネルで変調された光をスクリーン投写する投写手段と、前記第１または第２光源の一つを選択的に点灯させるように制御する制御手段とを備え、
前記制御手段は、前記第１光源の点灯時間と前記第２光源の点灯時間とを互いに異ならせるように前記第１及び第２光源を制御することを特徴とする投写型表示装置。
【請求項２】
投写型表示装置において、
第１光源と、第２光源と、該第１または第２光源からの光を変調する表示パネルと、該表示パネルで変調された光をスクリーン投写する投写手段と、前記第１または第２光源の点灯を制御する制御手段とを備え、
前記制御手段は、前記第１光源の点灯時間を消灯時間よりも長くするように制御するとともに、該第１光源の消灯時間は前記第２光源を点灯させるように制御することを特徴とする投写型表示装置。
【請求項３】
投写型表示装置において、
第１光源と、第２光源と、該第１または第２光源からの光を変調する表示パネルと、該表示パネルで変調された光をスクリーン投写する投写手段と、前記第１または第２光源のいずれか一つを、前記表示パネルへ光を照射するための光源として選択的に点灯させる制御手段とを備え、
前記制御手段は、前記第１の光源の点灯時間を定める第１設定時間と、前記第２光源の点灯時間を定めるものであって前記第１設定時間よりも短い第２設定時間とに従って、前記第１及び第２光源が交互に点灯するよう切換制御することを特徴とする投写型表示装置。
【請求項４】
請求項３に記載の投写型表示装置において、更に、前記第１光源からの光と前記第２光源からの光を切り換えて前記表示パネルを照射するための光学切換手段を備え、前記制御手段は、前記第１及び第２光源への前記切換制御に同期して、前記光学切換手段を制御することを特徴とする投写型表示装置。
【請求項５】
請求項３に記載の投写型表示装置において、前記第１または第２設定時間を、前記第１または第２光源を連続点灯した場合の寿命の、2/100以下の時間としたことを特徴とする投写型表示装置。
【請求項６】
請求項３記載の投写型表示装置において、前記第１設定時間と前記第２設定時間の合計が１２時間であることを特徴とする投写型表示装置。
【請求項７】
請求項３記載の投写型表示装置において、前記第１所定時間と前記第２所定時間の合計が２４時間であることを特徴とする投写型表示装置。
【請求項８】
請求項３記載の投写型表示装置において、更に、前記第１光源または第２光源の点灯時間を計測するタイマを備え、前記制御手段は、該タイマにより計測された第１光源の点灯時間が前記第１設定時間を超えた場合に第１光源から第２光源への切換制御を行い、該タイマにより計測された第２光源の点灯時間が前記第２設定時間を超えた場合に第２光源から第１光源への切換制御を行うことを特徴とする投写型表示装置。
【請求項９】
請求項３記載の投写型表示装置において、更に、前記第１または第２光源の点灯を検出する光源点灯検出手段を備え、前記制御手段は、前記第１設定時間中に該光源点灯検出手段によって前記第１光源の点灯が検出されなかった場合に第１光源から第２光源への切換制御を行い、前記第２設定時間中に該光源点灯検出手段によって前記第２光源の点灯が検出されなかった場合に第２光源から第１光源への切換制御を行うことを特徴とする投写型表示装置。
【請求項１０】
請求項３記載の投写型表示装置において、更に、前記第１及び第２光源の切換制御を実行する時刻を設定可能な時計機能を備え、前記制御手段は、前記時計機能への設定時刻に従って前記切換制御を実行することを特徴とする投写型表示装置。
【請求項１１】
請求項１０記載の投写型表示装置において、前記設定時刻は、昼間と夜間の時間帯ごとに夫々設定されることを特徴とする投写型表示装置。
【請求項１２】
請求項１０記載の投写型表示装置において、前記設定時刻は、曜日ごと、１週間単位、１月単位で設定可能であることを特徴とする投写型表示装置。
【請求項１３】
第１光源と、第２光源と、該第１または第２光源からの光を変調する表示パネルと、該表示パネルで変調された光をスクリーン投写する投写手段と、前記第１または第２光源の一つを選択的に点灯させるように制御する制御手段とを備えた投写型表示装置を、複数組み合わせて使用するマルチスクリーンシステムにおいて、
前記制御手段は、前記第１光源の点灯時間と前記第２光源の点灯時間とを互いに異ならせるように前記第１及び第２光源を切換制御し、
前記制御手段による前記切換制御が、前記複数の投写型表示装置間において同時に行われないようにしたことを特徴とするマルチスクリーンシステム。
【請求項１４】
投写型表示装置において、
第１光源と、第２光源と、該第１または第２光源からの光を変調する表示パネルと、該表示パネルで変調された光をスクリーン投写する投写手段と、前記第１または第２光源の一つを選択的に点灯させるように制御する制御手段とを備え、
前記制御手段は、前記第１光源または前記第２光源のいずれか一方を所定時間点灯させた後に他方の光源に切換制御するものであり、該光源の点灯時間を定める所定時間を、前記第１または第２光源の寿命の2/100以下としたことを特徴とする投写型表示装置。
【請求項１５】
請求項１４に記載の投写型表示装置において、前記所定時間の下限が略４時間であることを特徴とする投写型表示装置。
【発明の詳細な説明】
【技術分野】
【０００１】
本発明は、光源からの光を例えば液晶パネルのような表示パネルを用いて光強度変調して光学像を形成し、これをスクリーン上に投写する投写型表示装置に関する。特に、上記光源が複数あり、これらを切替えて点灯させる投写型表示装置に関するものである。
【背景技術】
【０００２】
光源からの光を表示パネルを用いて光強度変調し、映像信号に応じた光学像を形成して投写する投写型表示装置においては、光源として例えば高圧水銀ランプ等の放電ランプ（以下、単に「ランプ」と省略する）が用いられる。このランプはブラウン管の寿命と比較すると寿命が短い。そこで、例えば、特許文献１または２に開示されるように、２つ以上の光源を持ち、現在使用している光源が切れて不点灯となったことをセンサもしくは光源用電源により検出して、自動的に他方の光源へ切替えることによって長寿命化を図ることが提案されている。
【０００３】
光源の切換方法としては、上記以外に種々の方法がある。例えば、特許文献３では、予め光源の光量が減少し始めると予想される点灯時間を設定しておき、その点灯時間に達した時に現在使用している光源から他方の光源に切替えることが提案されている。
【０００４】
また、特許文献４では、予め設定した時間ごとに複数の光源を切替えて動作させ、光源の使用時間を平均化させることが提案されている。
【０００５】
【特許文献１】特開平７−２２５４３０号公報
【特許文献２】特開平７−２２５４３１号公報
【特許文献３】特開平１１−１４９０６１号公報
【特許文献４】特開２００１−３５７９８４号公報
【発明の開示】
【発明が解決しようとする課題】
【０００６】
上述の特許文献１，２，３の投写型表示装置では、不点灯の検出または寿命予測時間の計測により、他の光源へ切替え、光源の数量分点灯時間を延長するようにしている。例えば、２つの光源を用いれば、一つの光源の場合よりも、２倍の時間、中断されることなく聴視することができる。しかしながら、これらの開示技術は、聴視の中断または光源であるランプの交換頻度の低減を目的としており、ランプ自体の寿命を延ばすものではない。
【０００７】
例えば、監視制御分野などに用いられている、２４時間、３６５日連続動作を要求される投写型表示装置においては、特に、長期間に渡り中断されることなく聴視できることが要求されている。そこで、複数の光源を用いて、この要求を満足するようにされているが、更なる長期間に渡る安定した聴視を求めて、ランプ自体の長寿命化が望まれている。
【０００８】
また、特許文献４で開示されている予め設定した時間で複数の光源を交互に切り替える投写型表示装置においては、例えば２つの光源を用いる場合、一方の累積点灯時間が他方より長くなって、一方が他方より早くランプが切れない（不点灯とならない）ように、複数の光源の累積点灯時間を揃える（平均化する）という目的で制御がなされており、ランプ自身の寿命を延ばすものではない。さらに、本開示技術によれば、複数の光源の累積点灯時間が平均化されるので、全ての光源がほぼ同時期に寿命を迎え、複数の光源があるにもかかわらず、完全な不点灯状態に陥る恐れがある。
【０００９】
本発明は、上記した事情に鑑みてなされたものであり、その目的は、複数の光源の累積点灯時間を平均化させることなく、光源の寿命を延ばすことができる投写型表示装置、及びそれを組み合わせて用いるマルチスクリーンシステムを提供することにある。
【課題を解決するための手段】
【００１０】
上記目的を達成するための、本発明に係る投写型表示装置は、第１光源または第２光源の一つを選択的に点灯させる（すなわち第１及び第２光源を交互に点灯させる）ものにおいて、第１光源の点灯時間と第２光源の点灯時間とを互いに異ならせるように第１及び第２光源を制御する制御手段を設けたことを特徴とするものである。ここで、第１光源に着目した場合、第１光源は所定の周期（例えば１２時間、２４時間周期で）で点灯状態及び消灯状態を繰り返すが、その点灯時間を消灯時間よりも長くするように制御する。第１光源が消灯状態のときは第２光源を点灯させる。
【００１１】
上記光源の切換制御は、第１の光源の点灯時間を定める第１設定時間と、第２光源の点灯時間を定めるものであって前記第１設定時間よりも短い第２設定時間とに従って行われる。このとき、上記第１または第２設定時間を、光源の寿命（第１または第２光源を連続点灯した場合の寿命）の2/100以下の時間としてもよい。また第１または第２設定時間の下限を略４時間としてもよい。
【００１２】
また、本発明に係るマルチスクリーンシステムは、上記制御手段を備えた投写型表示装置を複数組み合わせ、この制御手段による前記切換制御が、前記複数の投写型表示装置間において同時に行われないようにしたことを特徴とする。
【００１３】
このように本発明は、第１及び第２光源の一つに着目した場合、その光源を所定期間内に設定された単位点灯時間の間のみ点灯する、いわゆる断続点灯とすることにより光源の長寿命化を図るものである。すなわち、本発明は、本発明者等の実験並びに検討により得られた、断続点灯にすると連続点灯に比べて光源を長寿命化できる、との新たな知見に基づいて為されたものである。そして、本発明は、第１及び第２光源をそれぞれ所定周期で断続点灯しつつ、これらの所定周期における点灯時間を互いに異ならせることによって第１及び第２光源の累積点灯時間を異ならせ、更なる長寿命化を可能としている。
【発明の効果】
【００１４】
本発明によれば、各光源の累積点灯時間を平均化させることなく、複数の光源の寿命を連続点灯時の寿命と比較して延ばすことが可能となる。
【発明を実施するための最良の形態】
【００１５】
以下、発明を実施するための最良の形態について、図面を用いて詳細に説明するが、その前に、本発明の基本的原理について説明する。
【００１６】
本発明者等は、複数の光源を用いた投写型表示装置における光源の長寿命化について検討した結果、次の新規な知見を見出した。即ち、ランプが切れる（不点灯となる）まで連続点灯させて計測した場合の連続点灯寿命時間よりも、第１所定時間（Ｔｏｎ時間）点灯させ、第２所定時間（Ｔｏｆｆ時間）休止させるサイクルを単位としてランプが切れる（不点灯となる）まで計測した場合の断続点灯寿命時間が長くなるという知見である（勿論、休止期間は寿命時間には含まれない）。さらに、このような休止期間を設けて断続的に点灯させる断続点灯の場合、点灯期間（Ｔｏｎ時間）が短い程、寿命時間が延びることも判明した。
【００１７】
図１は１００Ｗの高圧水銀ランプの寿命特性を模式的に示したものである。図１において、１０１は連続点灯時の寿命特性、１０２は点灯期間１６７時間（以下、１時間を「ｈ」で表す），休止期間１ｈとして、これを１サイクルとした場合の断続点灯時の寿命特性、１０３は点灯期間１１ｈ，休止期間１ｈとした断続点灯時の寿命特性である。図１の横軸は累積点灯時間、縦軸は光源であるランプの残存率である。図１から明らかなように、断続点灯寿命特性１０２は５０％残存率の累積点灯時間（以下、単に「累積点灯時間」と省略する）が連続点灯寿命特性１０１の累積点灯時間に比べて倍以上であり、また、断続点灯寿命特性１０３は累積点灯時間が断続点灯寿命特性１０２のそれに比べて更に延びている。即ち、１サイクル期間のうちの点灯期間（以下、この点灯期間を「単位点灯期間」と称し、この期間の時間長を「単位点灯時間」と称する）が短い程寿命特性が伸びる（長くなる）ことがわかる。一般的に、１００Ｗ高圧水銀ランプの平均寿命（５０％残存率）は略８０００時間程度であり、断続点灯寿命特性１０２の単位点灯期間は連続点灯寿命の約２％で、断続点灯寿命特性１０３の単位点灯期間は連続点灯寿命の約０．１４％程度である。
【００１８】
本発明は、複数の光源を用いた投写型表示装置において、断続点灯駆動すればランプの寿命が延びる寿命特性を利用して、例えば２つの光源を用いた場合、２つの光源を交互に点灯させ（一つの光源に着目すると断続点灯となる）、かつ、単位点灯期間の長さ（単位点灯時間）を異ならせるとともに、最も長い単位点灯期間を連続点灯時の寿命時間の略百分の二程度以下の時間とすることに特徴がある。単位点灯期間の長さ（単位点灯時間）を異ならせるのは、従来よりランプの寿命時間を延ばしながら、ほぼ同時期にランプの寿命とならないようにして、聴視の中断を避ける為である。
【００１９】
なお、本発明は長期間に渡って連続運転される投写型表示装置に有効で、例えば電気・ガス・水道などの監視・制御用の表示装置に好適である。
【実施例１】
【００２０】
図２は本発明の第１の実施例に係る投写型表示装置の概略構成図である。以下では、説明を簡略化するために、光源が２つあるものとするが、これに限定されるものではなく、２つ以上の複数であってもよい。
【００２１】
図２において、投写型表示装置は第１光源１Ａと第２光源１Ｂを有し、いずれか一方の光源からの光束を光学ユニット５で光強度変調して光学像を形成し、その光学像を拡大してスクリーン９上に投写する。光学ユニット５としては、一例をあげるならば、図示しない照明光学系と、照明光学系で照射された光源からの白色光束を光の３原色に分離する図示しない色分離手段と、色分離手段で分離された各色光（図示せず）を映像信号Ｓｖに応じて光の濃淡に変える光強度変調を行い、液晶駆動回路２１を介して光学像を形成する液晶パネル６Ａ，６Ｂ，６Ｃと、各液晶パネル６で形成された各色光の光学像を合成するクロスプリズム７と、クロスプリズム７で合成されたカラーの光学像を拡大して投写する投写レンズ８とからなるものである。
【００２２】
符号２Ａ（２Ｂ）は第１光源１Ａ（第２光源１Ｂ）を駆動するとともに、第１光源１Ａ（第２光源１Ｂ）が点灯していることを検出する光源点灯検出手段２Ａａ（２Ｂｂ）を含む駆動電源、４はモータ、３はモータ４の回転軸上に配置された可動ミラーである。１０は駆動電源２Ａ，２Ｂを介して第１光源１Ａ，第２光源１Ｂが交互に点灯するように点灯制御を行うとともに、第１光源１Ａか第２光源１Ｂの点灯に同期して、点灯した光源からの光束が光学ユニット５に入射するようにモータ４を駆動して可動ミラー３の反射鏡面の角度を制御する制御回路である。制御回路１０は可動ミラー３の正確な位置決めや、モータの動き過ぎ規制のためのストッパや、リミッタなどの手段を含む。また、制御回路１０には、リモコン受光部３０で受信された投写型表示装置の遠隔操作を行う為の光リモコン１４からのリモコン信号が入力されている。１１は第１光源１Ａ，第２光源１Ｂの点灯時間計測のためのタイマ、１２は各光源１Ａ（１Ｂ）の単位点灯時間、どの光源が点灯期間にあるかを示す各光源の点灯期間情報、各光源の不点灯（ランプ切れ）を示す不点灯情報（ランプ切れ情報）等を記憶するためのメモリ、１３は投写型表示装置全体を動作させるための制御を行うＣＰＵである。ＣＰＵ１３は図示しないＲＯＭに格納されているプログラムに従って投写型表示装置全体の制御を行うとともに、メモリ１２に記憶されている各光源の単位点灯時間，点灯期間情報（フラッグ），不点灯情報（フラッグ）や、またタイマ１１に設定した光源の単位点灯時間に基づくタイマ１１からの計測情報を用いて、制御回路１０を介して第１光源１Ａと第２光源１Ｂが交互に点灯するように制御する。また、必要に応じて、ＣＰＵ１３はメモリ１２内の所定の表示情報を映像信号ＳｖにＯＳＤ回路２２で重畳し、液晶駆動回路２１を介してスクリーンに表示させることができる機能を有する。
【００２３】
なお、メモリ１２には、予め光リモコン１４または図示しない入力手段を用いて、ユーザにより各光源の単位点灯時間が設定されている。この単位点灯時間は光源ごとに異なり、例えば第１光源１Ａの単位点灯時間は１１ｈ、第２光源１Ｂの単位点灯時間は１ｈのように設定される。また、以下では、便宜上第１光源を主たる光源、第２光源を従たる光源と呼ぶ場合もある。
【００２４】
また、第１光源１Ａと第２光源１Ｂと可動ミラー３とモータ４は光源部を構成しており、制御回路１０とタイマ１１とメモリ１２とＣＰＵ１３は制御部を構成している。
【００２５】
以上のように構成された投写型表示装置において、第１光源１Ａと第２光源１ＢはＣＰＵ１３によって光源毎に設定された単位点灯時間で交互に点灯するように制御される。即ち、ＣＰＵ１３はメモリ１２に設定されている各光源の単位点灯時間を参照してタイマ１１に時間計測を指示し、タイマ１１の時間計測結果により、第１光源１Ａと第２光源１Ｂが交互に点灯するように、制御回路１０に指示を出し、制御回路１０はこれを受けて、駆動電源２Ａ，２Ｂを介して第１光源１Ａ，第２光源１Ｂの点灯を交互に切替える。第１光源１Ａ，第２光源１Ｂからの光束は、第１光源１Ａ，第２光源１Ｂの点灯に同期して成される制御回路１０による可動ミラー３の回転にともない、光学ユニット５に入射し、光学ユニット５で形成されたカラー光学像がスクリーン９上に拡大投写される。
【００２６】
次に、図３、図４、図５のフロー図を参照して、上記した投写型表示装置における複数光源の交互駆動処理について詳細に説明する。ここでは、説明を容易とするために、図２に示す投写型表示装置に基づいて説明し、また第１光源１Ａの単位点灯時間が１１ｈ、第２光源１Ｂの単位点灯時間が１ｈであるものとする。
【００２７】
図３は、２つの光源を持つ投写型表示装置における、単位点灯時間設定処理のフロー図である。図４は、２つの光源を持つ投写型表示装置における、光源切替処理のフロー図である。図５は、図４のうちの第１光源から第２光源への光源切替処理の詳細フロー図である。
【００２８】
まず、図３のフロー図から説明する。図３において、単位点灯時間を設定する単位点灯時間設定処理が、例えば光リモコン１４の単位点灯時間設定キー（図示せず）がユーザに押下されると、ＣＰＵ１３は単位点灯時間設定処理を開始する。単位点灯時間設定キー（図示せず）は単位点灯時間設定処理のオン／オフを指示するキーであり、最初の操作で単位点灯時間設定モードとなるが、再度単位点灯時間設定キー（図示せず）が操作されるとクリアされる。
【００２９】
単位点灯時間設定処理が開始されると、先ず第１光源１Ａの単位点灯時間設定モードとなる。そして、ステップ１１１（以下、ステップを「Ｓ」と省略する）で光リモコン１４の数字キー（図示せず）と決定キー（図示せず）で所望の単位点灯時間例えば１１ｈが設定されると、ＣＰＵ１３は設定された第１光源の単位点灯時間をメモリ１２に記憶させる。次に、第２光源１Ｂの単位点灯時間設定モードとなり、Ｓ１１２で所望の単位点灯時間例えば１ｈが設定されると、ＣＰＵ１３は設定された第２光源の単位点灯時間をメモリ１２に記憶させる。そして単位点灯時間設定処理を終了する。
【００３０】
上記では、ユーザに単位点灯時間を入力させるものとしたが、例えば、単位点灯時間設定の際、第１光源と第２光源の単位点灯時間の組み合わせ候補表示をＯＳＤ回路２２で映像信号Ｓｖに重ね合わせて、液晶駆動回路２１を介してスクリーン上に表示し、光リモコン１４の方向キー（図示せず）と決定キー（図示せず）でいくつかの候補から選択させるようにしてもよい。
【００３１】
次に、図４の光源切替処理のフロー図について説明する。ここで、便宜上、２つの光源のうち、いずれか一方が点灯中であるものとして説明する。図４において、光源切替処理を開始すると、ＣＰＵ１３は、まず、Ｓ１２１でメモリ１２に格納されている第１光源の不点灯情報（フラッグ）を読み出して、第１光源がランプ切れでないかチェックする。ランプ切れで使用できないと判断される場合には、Ｓ１２２で第１光源ランプ交換指示表示を液晶駆動回路２１を介してスクリーンに表示し、Ｓ１３１に行く。使用できるならばＳ１２３に行き、第１光源の点灯期間であるか否かをメモリ１２に格納されている第１光源の点灯期間情報（フラッグ）を読み出してチェックする。点灯期間でなければＳ１３１に行き、点灯期間であればＳ１２４に行き、第１光源の駆動電源２Ａ内の光源点灯検出手段２Ａａで光源１Ａのランプが切れてないか検出する。Ｓ１２４で異常なく点灯中であればＳ１２７に行き、設定された第１光源の単位点灯時間を超えているか否かをタイマ１１の時間計測値をチェックして判定する。なお、タイマ１１には光源点灯時に、メモリ１２内の単位点灯時間が設定され、タイマ１１はこの値からダウンカウントをするので、カウント値が０となれば単位点灯時間が経過したことを知ることができる。Ｓ１２４で第１光源が点灯してなければ、Ｓ１２５でメモリ１２に第１光源の不点灯情報（フラッグ）を設定し、Ｓ１２６で第１光源ランプ交換指示表示を行い、Ｓ１３１に行く。Ｓ１２７で、設定された単位点灯時間が経過してれば、Ｓ１５０の第１光源→第２光源切替処理を実行して、光源切替処理を終了し、メイン処理に戻る。また、経過してなければ光源切替処理を終了し、メイン処理に戻る。
【００３２】
Ｓ１３１からＳ１３７およびＳ１６０は第２光源に関する処理であり、上記したＳ１２１からＳ１２７およびＳ１５０の第１光源に関する処理に対応しており、動作は同様であり、その説明を省略する。
【００３３】
上記した光源切替処理は、メイン処理フローに組み込まれており、所定時間ごとに上記処理が繰り返されるようになっている。
【００３４】
次に、図４で述べたＳ１５０の第１光源→第２光源切替処理の詳細について、図５のフロー図で説明する。図５において、第１光源→第２光源切替処理を開始すると、ＣＰＵ１３はＳ１５１において、制御回路１０を経由して駆動電源２Ｂに第２光源１Ｂの点灯を指示し、Ｓ１５２で、第２光源１Ｂが点灯するか、制御回路１０を介して、駆動電源２Ｂに内蔵する光源点灯検出手段２Ｂｂの検出結果で判定する。Ｓ１５２で点灯しないと判定されると、Ｓ１５３でメモリ１２に不点灯情報のフラッグを設定し、Ｓ１５４でランプ交換指示表示を行い、Ｓ１５５で第１光源がそのまま継続して点灯するように点灯継続処理を行い、終了する。
【００３５】
また、Ｓ１５２で第２光源１Ｂが正常に点灯すると判定される場合には、Ｓ１５６に行き、第２光源１Ｂが十分な光量を発揮するまで所定時間ウエイトする。そして、光量が安定したら、Ｓ１５７において、ＣＰＵ１３は１秒以下の時間で、制御回路１０を介してモータ４を回転させ、可動ミラー３が第２光源１Ｂからの光を反射させて光学ユニット５に入射させる位置に設定し、Ｓ１５８でタイマ１１に第２光源の単位点灯時間を設定して時間計測を開始させる。そして、Ｓ１５９で第１光源１Ａを消灯させ、光源切替処理を終了する。
【００３６】
なお、Ｓ１６０の第２光源→第１光源切替処理は、Ｓ１５０の光源切替処理に同じであり、その動作の説明を省略する。
【００３７】
光源切替処理は、以上述べたように構成されているので、例え２４時間３６５日の連続動作状態においても、第１光源と第２光源がともに正常に点灯すれば、設定された単位点灯時間毎に交互点灯が繰り返えされ、即ち、例えば設定された単位点灯時間がそれぞれ１１ｈと１ｈであれば、第１光源が１１ｈ点灯し、第２光源が１ｈ点灯するサイクル（１２時間周期）の断続点灯がなされ、図１の例えば寿命特性１０２，１０３で示されるように、光源のランプ自体の寿命を延ばすことができる。また、各光源の単位点灯時間を異ならせ、累積点灯時間が平均化されないようにしているので、ほぼ同時期にランプが寿命を迎える恐れを低減でき、ランプ切れにともなう聴視の中断を避けることができる。また、本実施例によれば、点灯中の光源が不点灯になったことを検出した際は、他の光源に自動的に切替えて、画面が暗くなって聴視が中断することを回避とともに、ランプ交換（不点灯ランプを新しいランプに置換える交換）表示をするようにしてユーザにランプ交換を促しているので、複数の光源のランプが全て不点灯とならないようにすることができる。
【００３８】
上記では、主たる光源である第１光源の単位点灯時間を１１ｈとし、またサイクルを第２光源の単位点灯時間を１ｈとして１２時間周期としたが、これに限定されるものではない。主たる光源の単位点灯時間としては、図１の断続点灯寿命特性から、連続点灯時の寿命時間の略百分の二程度以内の時間を設定することが望ましい。また、光源切替えを頻度高く行うと、光源切替え時の輝度変動が聴視者にとって目障りとなる恐れがあるので、主たる光源の単位点灯時間は、数時間以上例えば４時間以上が好ましい。また、周期（サイクル）としては、例えば第１光源の単位点灯時間を２３ｈ、第２光源の単位点灯時間を１ｈとした２４時間周期としてもよく、あるいは、６時間周期、８時間周期、１６８時間周期（週周期）など、あらゆる時間を設定可能とすることも可能である。
【００３９】
なお、上記では、各光源の単位点灯時間を、光リモコン１４を用いて入力するようにしたが、これに限定されるものではなく、例えば通信線（図示せず）を用いて、外部の制御端末（図示せず）から入力するようにしてもよい。
【００４０】
以上では、長く（例えば２４時間以上）連続して表示される場合について述べたが、主たる光源の単位点灯時間よりも短い時間で、例えば光リモコン１４のパワーキー（図示せず）でスタンバイ状態（擬似パワーオフ状態）とされる場合は、ＣＰＵ１３は単位点灯時間を計測するタイマ１１をリセット（例えば計測時間を零とする）し、次のパワーオンでは、再度主たる光源の単位点灯時間をタイマ１１にセットして計測を行うようにすることにより、不要な交互運転を行わない投写型表示装置を提供することができる。
【００４１】
また、交互点灯モード（連続運転モード）のオン／オフを設定するようにして、交互点灯モード（連続運転モード）が例えば光リモコン１４の図示しない交互点灯設定キー（図示せず）で設定された場合は、あるいは交互点灯モードが表示されたメニュー画面で設定された場合は、上述した交互点灯動作を行い、そうでない場合には、交互点灯動作を行わないようにしてもよい。
【実施例２】
【００４２】
図６は、第２の実施例を示す投写型表示装置の概略構成図である。第1の実施例では、例えば１２時間周期で交互点灯（断続点灯）をさせたが、本実施例では、タイマに代えて時刻を計測する時計を備え、交互点灯を点灯開始時刻で制御するようにする。従って、図６では、現在時刻を刻む時計１５を備えている。ＣＰＵ１３'は、第１の実施例のＣＰＵ１３と、交互点灯を点灯開始時刻で制御する点で異なり、他は同じである。本実施例でも第１の実施例と同様、２つの光源を備えているものとして説明する。勿論、２つ以上の複数光源にも適用できることはいうまでもない。
【００４３】
本実施例では、所定時刻で光源切替えを行う為に、第１光源の単位点灯期間の点灯開始時刻（つまり、第２光源→第１光源切替時刻）と第２光源の単位点灯期間の点灯開始時刻（つまり、第１光源→第２光源切替時刻）を入力手段である例えば光リモコン１４で設定する。これにともない、ＣＰＵ１３は、時計１５の現在時刻を定期的にウォッチして、メモリ１２に記憶されている第１光源の点灯開始時刻と一致した場合には、第１光源の点灯と第２光源の消灯を行い、第２光源の点灯開始時刻に至ると、第２光源の点灯と第１光源の消灯を行う動作を繰り返す。
【００４４】
今、投写型表示装置を２４時間３６５日の連続稼動される監視装置に用いられる表示装置として、例えば第１光源の点灯開始時刻と第２光源の点灯開始時刻を、あまり監視業務が多忙でない時刻（例えば深夜の午前零時と午後１１時）にあわせれば、光源切替で多少の輝度変動があっても、支障を生じる恐れがない。
【００４５】
このように設定すると、午前零時に主たる第１光源が点灯し、２３時（午後１１時）に従たる第２光源が点灯する断続点灯サイクルを繰り返すことができ、上記効果に加えて、第１の実施例と同様の効果、即ち、光源のランプ自体の寿命を延ばすことができる。また、各光源の単位点灯時間を異ならせ、累積点灯時間が平均化されないようにしているので、ほぼ同時期にランプが寿命を迎える恐れを低減でき、ランプ切れにともなう聴視の中断を避けることができる。
【００４６】
以上の説明では、時計を用いて光源点灯を制御するようにしたが、時計に限定されるものではなく、現在時刻情報を、独立行政法人「情報通信研究機構」の日本標準時グループによって管理されている「標準電波」や、インターネット・電話回線などを通じて、得るようにしてもよい。
【００４７】
また、時計を備えたことにより、昼間と夜間の時間ごとであるとか、曜日ごとであるとか、１週間単位であるとか１月単位であるとか、事前にスケジュールを登録して、その登録通りに実行することが容易になる。
【００４８】
例えば、投写型表示装置を監視装置に用いる場合、昼間は多忙で注視している時間が多いので、光源切替回数の頻度を少なくし、それほど多忙でない夜間に光源切替回数の頻度を多くして、光源切替で多少の輝度変動があっても、支障を最小限にとどめることができる。また、同様に、日曜日は平日ほど多忙ではないので、平日の光源切替回数の頻度を少なくし、日曜日の光源切替回数の頻度を多くして、光源切替の際の影響を最小限にとどめることができる。
【００４９】
なお、上記のように時間帯で上記光源切替回数の頻度を変える場合、主たる光源の単位点灯時間を変えて、切替え頻度を変えるようにしてもよい。
【実施例３】
【００５０】
図７は、図６で述べた第２の実施例の投写型表示装置を縦４段横４列組み合わせて構成した第３の実施例を示すマルチスクリーンシステムの一例である。図７のマルチスクリーンシステムにおいて、投写型表示装置１９はキューブ型表示装置と称され、各々が独立した表示装置として成立しており、かつ複数台組み合わせて使用することも可能なものである。各々の投写型表示装置１９は、図７の左上隅から１９１，１９２，…，１９ｉ（以下、任意の投写型表示装置を符号１９ｉで示す），…，１９１５，１９１６と縦４段横４列に配列されており、その内部に図６に示すような光源部，制御部，光学ユニット，液晶駆動回路やスクリーン等からなる表示ユニット２０を持ち、マルチスクリーンシステム１６として使用する際は、通信線１７にて制御端末１８と接続されている。
【００５１】
予め、制御端末１８には、各投写型表示装置１９ｉにおける光源切替情報である単位点灯期間の点灯開始時刻が設定されている。この設定内容は、先に述べた例えば第２の実施例の投写型表示装置内における設定と同様であり、単位点灯期間の長さつまり単位点灯時間として、連続点灯時の光源寿命の略百分の二程度以下の時間で設定したり、特に２つの光源を持つ場合においては、主たる光源と従たる光源の点灯時間に長短の差をつけたり、光源切替え周期を１２時間周期としたり、２４時間周期等の工夫については改めて述べるまでもなく、マルチスクリーンシステムにおいても適用できるものである。
【００５２】
また、一斉に光源切替えが成されると画面全体で明るさの変動が目立ち、聴視が困難となる恐れがあるので、各投写型表示装置における点灯開始時刻はそれぞれ所定時間だけずれて設定されており、一度に光源切替えがなされないようにしている。
【００５３】
この制御端末１８に設定されている各投写型表示装置１９ｉの光源切替情報は、必要に応じて所定時間毎に通信線１７を介して、それぞれ対応する各投写型表示装置１９ｉに送信され、各投写型表示装置１９ｉのメモリ１２に格納される。
【００５４】
以上のように構成された各投写型表示装置１９ｉでは、光源切替時間（単位点灯期間の点灯開始時刻）になると、例えば、投写型表示装置１９１の光源切替時間になると、投写型表示装置１９１は所定の光源切替処理を行い、次に、所定時間ずれて投写型表示装置１９２の光源切替時間となり、投写型表示装置１９２は所定の光源切替処理を行う。このように、次々に所定時間間隔で、各投写型表示装置１９ｉの光源切替処理が実行される。このようにすれば、光源切替えで明るさの変動が生じても、その変動は投写型表示装置毎に時間的にずれて生じるので、目立ち難くすることができる。また、光源切替え時、図５で述べたように、暫くの間、第１光源と第２光源が両方点灯するので、光源駆動電流が増大するが、本実施例のように、一斉に光源切替えをせず、投写型表示装置毎に時間的にずらして切替えるので、マルチスクリーン全体での光源駆動電流の急激な増大を避けることができる。
【００５５】
以上述べた本実施例では、制御端末１８から光源切替情報を各投写型表示装置に送り、これに基づいて、各投写型表示装置が複数光源の光源切替えを行うようにしたが、これに限定されるものではなく、例えば、制御端末１８が各投写型表示装置のＣＰＵと通信線１７を介してコマンドのやりとりを行い、直接、光源切替えの制御を行うようにしてもよい。
【図面の簡単な説明】
【００５６】
【図１】１００Ｗの高圧水銀ランプの寿命特性を模式的に示した図
【図２】第１の実施例に係る投写型表示装置の概略構成図
【図３】単位点灯時間設定処理のフロー図
【図４】光源切替処理のフロー図
【図５】光源切替処理の詳細のフロー図
【図６】第２の実施例を示す投写型表示装置の概略構成図
【図７】マルチスクリーンシステムの一例を示す図
【符号の説明】
【００５７】
１Ａ…第１光源、１Ｂ…第２光源、２Ａ…駆動電源、２Ａａ…光源点灯検出手段、２Ｂ…駆動電源、２Ｂｂ…光源点灯検出手段、３…可動ミラー、４…モータ、５…光学ユニット、６Ａ，６Ｂ，６Ｃ…液晶パネル、７…クロスプリズム、８…投写レンズ、９…スクリーン、１０…制御回路、１１…タイマ、１２…メモリ、１３…ＣＰＵ、１４…光リモコン、１５…時計、１６…マルチスクリーンシステム、１７…通信線、１８…制御端末、１９…投写型表示装置、２０…表示ユニット、２１…液晶駆動回路、２２…ＯＳＤ回路、３０…リモコン受光部、１０１…連続点灯時の寿命特性、１０２，１０３…断続点灯時の寿命特性。
【図１】
2006039329.tif 000003
【図２】
2006039329.tif 000004
【図３】
2006039329.tif 000005
【図４】
2006039329.tif 000006
【図５】
2006039329.tif 000007
【図６】
2006039329.tif 000008
【図７】
2006039329.tif 000009